(57)【要約】【課題】  他の基板に載せて使用する際に安定した状態で固定される無線モジュールを提供する。【解決手段】  無線回路と、無線アンテナと、前記無線回路を保護する樹脂筐体と、第２のコネクタを供える他の基板の前記コネクタに接続するための第１のコネクタを供える無線モジュール基板を備える無線モジュールにおいて、前記他の基板と接続する際には前記第１のコネクタと前記第２のコネクタとを接続するとともに、ネジによって前記無線モジュール基板と前記他の基板を固定する。【選択図】  図１
2010034916.tif 000002
【特許請求の範囲】
【請求項１】
無線回路と、無線アンテナと、前記無線回路を保護する樹脂筐体と、第２のコネクタを供える他の基板の前記コネクタに接続するための第１のコネクタを供える無線モジュール基板を備える無線モジュールであって、
前記他の基板と接続する際には前記第１のコネクタと前記第２のコネクタとを接続するとともに、ネジによって前記無線モジュール基板と前記他の基板を固定することを特徴とする無線モジュール。
【請求項２】
前記樹脂筐体が前記無線回路を保護するように前記無線モジュール基板にネジによって固定されることを特徴とする請求項１に記載の無線モジュール。
【請求項３】
前記樹脂筐体ケースに金属めっきが施されていることを特徴とする請求項１に記載の無線モジュール。
【請求項４】
前記樹脂筐体を前記無線モジュール基板より一回り小さく構成し、前記無線モジュール基板上のパターンアンテナ部分を樹脂筐体の外側に配置したことを特徴とする請求項１に記載の無線モジュール。
【請求項５】
前記樹脂筐体の高さが前記樹脂筐体を備えていない場合に前記無線モジュール基板を前記他の基板に重ねた際に生じる空間の高さよりわずかに低くなる高さに加工されていることを特徴とする請求項１に記載の無線モジュール。
【請求項６】
前記樹脂筐体の前記他の基板と接する面が平板状に成形され、前記コネクタと前記他の基板に備えられているコネクタを接続する際に、前記樹脂筐体の平板状に成形された部分が前記他の基板に密着することを特徴とする請求項１に記載の無線モジュール。
【請求項７】
前記の樹脂筐体の一部に切り込み部が設けられているとともに、前記切り込み部分にRFコネクタが実装されていることを特徴とする請求項１に記載の無線モジュール。
【発明の詳細な説明】
【技術分野】
【０００１】
本発明は無線モジュールに関する。
【背景技術】
【０００２】
無線モジュールを構成する上で、無線回路が外部要因によって特性が変化したり、あるいは第三者によって分解改造されたりすることによって適切でない電波が放出されることを防止するために、分解が容易にできないような筐体に収めなければならない。このことは電波法にも規定されている。そのため、金属ケース等を用いて無線回路を保護する構成となる。また、アンテナの配置は特性が劣化しないように誘電体や導電帯の近くに配置せず、アンテナコネクタを筐体につけてアンテナ部分だけを外付けする方法が用いられる（例えば、特許文献１参照）。
【０００３】
【特許文献１】特開２００５−３４８１８７号公報
【発明の開示】
【発明が解決しようとする課題】
【０００４】
そこで、モジュールを他の基板に載せて使用する場合、２個のコネクタをモジュール両側に用いる方法や、コネクタの反対側をスペーサとネジで固定する方法などが用いられているが、いずれも部品点数の増大を招く。
【０００５】
本発明の目的は、無線回路が外部要因によって特性が変化するのを防止できる無線モジュールを提供することにある。
【０００６】
また、本発明の他の目的は、第三者によって分解改造が行われ、適切でない電波が放出されることを防止する無線モジュールを提供することにある。
【０００７】
また、本発明の他の目的は、他の基板に載せて使用する際に、部品点数を必要以上に増加させることなく、安定した状態で固定される無線モジュールを提供することにある。
【０００８】
また、本発明の他の目的は、アンテナ特性の劣化を低減させる無線モジュールを提供することにある。
【課題を解決するための手段】
【０００９】
上記課題を解決するため、無線モジュールにおいて、無線回路と、無線アンテナと、前記無線回路を保護する樹脂筐体と、第２のコネクタを供える他の基板の前記コネクタに接続するための第１のコネクタを供える無線モジュール基板を備える無線モジュールにおいて、前記他の基板と接続する際には前記第１のコネクタと前記第２のコネクタとを接続するとともに、ネジによって前記無線モジュール基板と前記他の基板を固定するという構成をとる。
【発明の効果】
【００１０】
本発明によれば、アンテナ特性を劣化させることなく無線モジュールの小型化が可能となる。
【発明を実施するための最良の形態】
【００１１】
以下に本発明にかかる実施例につき図示例を用いて説明する。なお、本発明は、図示例に限定されるものではない。
【００１２】
図１（a）に示すように無線モジュール基板１０１上には、図示しない無線送受信機能部を構成するICや受動素子等の電子部品を実装されており、これらの電子部品は、樹脂筐体１０４で覆われて外部からの衝撃等から保護されている。無線モジュール基板１０１の電子部品等が配置されている付近には、開口部１０８が開口されており、樹脂筐体１０４は、開口部１０８に電子部品等が配置されている面の裏面側から挿入されるネジ３０２により無線モジュール基板１０１に取付けられるようになっている。このように無線回路を無線モジュール基板１０１上に構成することで、無線送受信機能部を構成するICや受動素子等の電子部品を保護するケースとしての樹脂筐体１０４とネジ３０２のわずか２個の部品で構成することができる。
【００１３】
樹脂筐体１０４には切り込みが入れられており、切り込みが入れられた部分には、外部アンテナ用コネクタ１０３が取付けられている。このように樹脂筐体１０４の一部に切り込みを入れることにより、無線モジュール基板１０１にRFコネクタであるコネクタ１０３を実装することができ、コネクタ１０３にアンテナケーブルを接続することで、切り込み部分を経由して外部アンテナを用いるこが可能となる。
【００１４】
図１（b）に示すように無線モジュール基板１０１の樹脂筐体１０４が配置されている側の面には、基板上にコネクタ１０２が配置されており、無線モジュール基板１０１のピン３０２の挿入される側の面の基板上には、パターンアンテナ１０５が備えられている。
【００１５】
図１（a）（b）に示すように樹脂筐体１０４は、無線モジュール基板１０１よりも一回り小さく構成し、パターンアンテナ１０５を無線モジュール基板１０１の樹脂筐体１０４が配置されている面の裏面側に配置することで、アンテナの特性を劣化を低減している。そのため、モジュールを別の基板に装着した際にも正確に一定なクリアランスを得ることができる。
【００１６】
図１（b）に示すように他の基板２０１には、コネクタ２０２が備えられており、コネクタ２０２は、無線モジュール基板１０１に備えられたコネクタ１０２に接続することができ、無線モジュール基板101と他の基板201を電機的に接続できるようになっている。
【００１７】
無線モジュール基板１０１には、開口部１０６及び開口部１０７が開口されており、樹脂筐体１０４には、開口部１０６及び開口部１０７に対応する開口部１０８及び開口部１０９が開口されている。さらに他の基板２０２にも、無線モジュール基板１０１に開口されている開口部１０６及び開口部１０７に対応する開口部２０６及び開口部２０７が開口されている。そのため、開口部１０６、開口部１０８及び開口部２０６は連通しており、開口部１０７、開口部１０９及び開口部２０７も連通している。
【００１８】
そして、開口部１０６、開口部１０８及び開口部２０６には、ネジ３０１ａが挿入され、開口部１０７、開口部１０９及び開口部２０７には、ネジ３０１ｂが挿入され、無線モジュール基板101と他の基板201を電機的に接続する際、無線モジュール基板のコネクタ102と接続基板201のコネクタ202を接続し、樹脂筐体104をスペーサかわりにし、ネジ301ａ及びネジ３０１ｂで固定されるようになっている。
【００１９】
即ち、樹脂筐体１０４の高さを樹脂筐体１０４を備えていない場合に無線モジュール基板１０１を他の基板２０１に載せた際に生じる空間の高さよりわずかに低くなる高さに加工しておくことで、無線モジュール基板１０１を他の基板２０１に載せた際にほとんど隙間が生じないこととなるため、樹脂筐体１０４は、スペーサの機能も備えるものである。
【００２０】
無線モジュール基板を他の基板に載せて使用する場合にコネクタだけで固定する方法があるが、コネクタ一組のみで接続することとすると、いわゆる片持ち固定になるため、機器に繰り返し振動が加えられるとモジュールが脱落したり、コネクタ接点の接触不良を引き起こすことがある。
【００２１】
一方、二組のコネクタをモジュール両側に配置して接続したり、一端を一組のコネクタで接続し、他端をスペーサとネジで固定する方法を用いたりすると部品点数の増大を招くことになるという不都合が生じる。
【００２２】
しかし、本実施例によれば、これらの不都合を生じさせることなく、無線モジュール基板１０１と他の基板２０１とを接続することができる。
【００２３】
また、樹脂筐体１０４は、コネクタ１０２とコネクタ２０２を嵌合させる際のガイドとしても機能する。すなわち、樹脂筐体１０４の平面部分１１０が他の基板２０１に密着させるためには、コネクタ１０２をコネクタ２０２の直上方向からコネクタ２０２に挿入せざるを得なくなるため、斜めに挿入したりすることによるコネクタの破損や信頼性の低下を防ぐことができる。
【００２４】
なお、ネジ３０１ａ及びネジ３０１ｂにより固定するかわりに、無線モジュール基板１０１と樹脂筐体１０４を接着することとしてもよい。また、樹脂筐体１０４にカエリをつけて一度はめ込むと抜けないような構造としてもよい。あるいは、樹脂筐体を基板に押し付けた後、ピンを熱塑性変形によって曲げまたは傘状に変形させて外れないように加工してもよい。また、樹脂筐体１０４に金属めっきを施すことによって、無線回路の特性変化をより少なくすることも可能である。
【００２５】
無線モジュール基板１０１を他の基板に載せる以外に、他の筐体の内部に取付ける場合には、コネクタを無線モジュール基板１０１ではなくFFC(フラットフレキシブルケーブル)に取り付け、ケーブルと無線モジュール基板１０１を接続する形態が可能である。この際にコネクタの低背タイプを用いるとコネクタ接続時の高さを抑えることが可能となる。
【産業上の利用可能性】
【００２６】
無線モジュールは、遠隔管理・監視や制御機器、ホームセキュリティ、近距離の各種のデータ伝送で幅広く使用される。したがって、無線モジュールは機器に組み込むために、小型で容易に設置可能な構成が望まれる。
【図面の簡単な説明】
【００２７】
【図１】(a)は無線モジュールと他の基板の分解した状態を示す斜視図であり、(b)は、(a)と異なる角度から見た無線モジュールと他の基板の分解した状態を示す斜視図である。
【符号の説明】
【００２８】
101…無線モジュール基板、102…コネクタ、103…アンテナコネクタ、104…樹脂筐体、105…パターンアンテナ、201…接続基板、202…コネクタ、301…ネジ、302…ネジ
【図１】
2010034916.tif 000003